(57)【特許請求の範囲】
【請求項１】
上部横部材、下部横部材、及び対をなす縦部材により構成される枠組みと、該枠組みの内方で、枠組みの下方隅角部と前記上部横部材とを連結するようにハの字形状に配置されるブレースとにより構成されて、
前記上部横部材の軸線上に形成されるハの字形状の前記ブレース各々の軸線の交点に対して、鉛直方向で同軸上に位置する下部横部材の所定部分が切り欠かれることにより形成されるドア開口部を有する枠付きブレースが、
前記建築物の開口部の内周面に敷設されるアンカーボルトと、前記枠組みの外周面に設けられるスタッドジベルと、該スタッドジベル及びアンカーボルトを埋設するように前記枠組みの外周面と建築物の開口部の内周面との隙間に充填される充填材とを介して、
前記建築物の開口部に一体的に嵌合されるドア開口部を有する耐震補強開口部の構造において、
前記枠付きブレースのドア開口部には、鋼板が配置されており、
前記枠付きブレースと対向する一方の面側に、スタッドジベルが設けられた該鋼板の両端部各々と、前記下部横部材のドア開口部側の端部とがあき重ね継ぎ手を形成し、前記充填材を充填されて両者が一体化されるとともに、
前記鋼板の他方の面と、前記建築物の開口部の内周面が、固着手段により固着されて、
該鋼板、及び前記枠付きブレースが、前記建築物の開口部に一体的に嵌合されていることを特徴とするドア開口部を有する耐震補強開口部の構造。
【請求項２】
請求項１に記載のドア開口部を有する耐震補強開口部において、
前記下部横部材がＨ形鋼により構成されて、
前記ドア開口部側の端部には、上下フランジと前記建築物の開口部と対向する側のウェブ面とにより形成される空洞部を覆うように支圧プレートが設けられることを特徴とするドア開口部を有する耐震補強開口部の構造。
【発明の詳細な説明】
【０００１】
【発明の属する技術分野】
本発明は、簡略な構成で、建築計画に自由度を持たせることの可能なドア開口部を有する耐震補強開口部の構造に関する。
【０００２】
【従来の技術】
従来より、既存の鉄筋コンクリート造建築物の開口部に対する耐震補強構造には、ブレースが用いられる場合が多い。ただし、ブレースが負担する高い応力を建築物に直接伝達すると、該建築物に局部破壊を生じる可能性が高いため、実際にはブレース構面に枠を設けた枠付きブレースを構成し、これを用いることが一般的である。
【０００３】
【発明が解決しようとする課題】
しかし、枠付きブレース構面には、ドア開口を設けることが困難であり、建築計画の自由度を妨げていた。
【０００４】
上記事情に鑑み、本発明は、簡略な構成で、建築計画に自由度を持たせることの可能なドア開口部を有する耐震補強開口部の構造を提供することを目的としている。
【０００５】
【課題を解決するための手段】
請求項１に記載のドア開口部を有する耐震補強開口部の構造は、上部横部材、下部横部材、及び対をなす縦部材により構成される枠組みと、該枠組みの内方で、枠組みの下方隅角部と前記上部横部材とを連結するようにハの字形状に配置されるブレースとにより構成されて、前記上部横部材の軸線上に形成されるハの字形状の前記ブレース各々の軸線の交点に対して、鉛直方向で同軸上に位置する下部横部材の所定部分が切り欠かれることにより形成されるドア開口部を有する枠付きブレースが、前記建築物の開口部の内周面に敷設されるアンカーボルトと、前記枠組みの外周面に設けられるスタッドジベルと、該スタッドジベル及びアンカーボルトを埋設するように前記枠組みの外周面と建築物の開口部の内周面との隙間に充填される充填材とを介して、前記建築物の開口部に一体的に嵌合されるドア開口部を有する耐震補強開口部の構造において、前記枠付きブレースのドア開口部には、鋼板が配置されており、前記枠付きブレースと対向する一方の面側に、スタッドジベルが設けられた該鋼板の両端部各々と、前記下部横部材のドア開口部側の端部とがあき重ね継ぎ手を形成し、前記充填材を充填されて両者が一体化されるとともに、前記鋼板の他方の面と、前記建築物の開口部の内周面が、固着手段により固着されて、該鋼板、及び前記枠付きブレースが、前記建築物の開口部に一体的に嵌合されていることを特徴としている。
【０００７】
請求項２に記載のドア開口部を有する耐震補強開口部の構造は、前記下部横部材がＨ形鋼により構成されて、前記ドア開口部側の端部には、上下フランジと前記建築物の開口部と対向する側のウェブ面とにより形成される空洞部を覆うように支圧プレートが設けられることを特徴としている。
【０００８】
【発明の実施の形態】
以下、本発明におけるドア開口部を有する耐震補強開口部の構造を図１から図５に示す。
【０００９】
（第１の実施の形態）
図１に示すように、既存の鉄筋コンクリート造による建築物２の開口部３には、耐震補強材として枠付きブレース５が配置されて、耐震補強開口部１が形成されている。前記枠付きブレース５は、前記建築物２の開口部３に嵌合する枠組み６と、該枠組み６の内方に配されたブレース８、及び斜材７とにより構成されている。
【００１０】
前記枠組み６は、対をなして離間配置される縦部材１２と、該縦部材１２の上端部どうし、及び下端部どうしを各々連結するように、水平に配置される上部横部材１０、及び下部横部材１１とにより構成されている。これらは、何れもＨ形鋼よりなり、ウェブ面が前記建築物２の開口部３の内周面と平行となるように配置されている。また、これらのウェブ面で、前記建築物２の開口部３の内周面と向かい合う側、つまり前記枠組み６の外周面には、長手方向に所定の間隔をもって、複数のスタッドジベル９が、溶接等の固着手段により固着されている。
【００１１】
該枠組み６の内方には、ハの字状に２本のブレース８が配置されている。該ブレース８は、前記枠組み６の下方隅角部１４と、前記上部横部材１０の中央部近傍を連結するようにガセットプレート２１を介して締結されており、２本のブレース８の軸線の交点１５は、前記上部横部材１０の軸線と合致するように、設置されている。また、該ブレース８の軸線上の中点と、前記枠組み６の上方隅角部１３とを連結するように、前記斜材７が配置されており、前記枠付きブレース５の横座靴を拘束する形式となっている。
【００１２】
このような構成の前記枠付きブレース５は、前記下部横部材１１において、２本の前記ブレース８における軸線の交点１５と鉛直方向で同軸となる位置を中心とした一部分が切り欠かれており、これが枠付きブレース５のドア開口部１６を形成している。
【００１３】
本実施の形態において、前記ブレース８は、前記枠付きブレース５の鉛直軸方向の中心線から見てシンメトリーを形成し、前記交点１５が前記上部横部材１０の軸線の中央と合致するように設けられている。しかし、前記交点１５の配置位置は、これにこだわるものではない。
【００１４】
このような構成の該枠付きブレース５は、前記建築物２の開口部３に嵌合されるが、図２に示すように、前記建築物２の開口部３の内周面には、一方の端部４ａが建築物２に埋設されるアンカーボルト４が配置されるとともに、建築物２の開口部３の内周面と前記枠組み６の外周面との隙間には、無収縮モルタル等によりなる充填材１７が充填されている。前記アンカーボルト４の他方の端部４ｂと前記枠付きブレース５の外周面に設けられた前記スタッドジベル９とが充填材１７に埋設されることにより、前記枠付きブレース５と前記建築物２とは強固に固着され、ドア開口部１６を有する耐震補強開口部１が形成されることとなる。
【００１５】
なお、本実施の形態において、図１に示すように、前記枠付きブレース５の下方隅角部１４近傍に位置する前記アンカーボルト４、及びスタッドジベル９には、付着割れを防止することを目的に、スパイラル筋を用いている。
【００１６】
上述する構成によれば、前記建築物２の開口部３の内周面にアンカーボルト４が配置されるとともに、前記枠付きブレース５の外周面にもスタッドジベル９が設けられて、これらが前記建築物２の開口部３の内周面と枠付きブレース５の外周面と隙間に充填される充填材１７に埋設されることにより、建築物２と枠付きブレース５とが固着されることから、前記枠付きブレース５が、前記枠組み６を構成する下部横部材１１の一部を切り欠かれて、ドア開口部１６が設けられた場合においても、前記ブレース８から前記枠付きブレース５に伝達される応力をスムーズに前記建築物２へ伝達することが可能となる。
【００１７】
（第２の実施の形態）
第１の実施の形態に示したドア開口部１６を有する耐震補強開口部１の構造は、前記枠付きブレース５の開口幅が、枠付きブレース５のスパンと比較して小さい場合に有効である。開口幅を大きく設けたい場合には、ドア下部に補強部材を追加することで枠付きブレース５の靭性を確保することとする。
【００１８】
図３に示すように、前記耐震補強開口部１は、第１の実施の形態と同様な構成による前記枠付きブレース５が用いられている。なお、該枠付きブレース５の前記枠組み６を構成する下部横部材１１を部分的に切り欠いて設けられたドア開口部１６側の端部１１ａには、図４、図５に示すように、ウェブに垂直で、ウェブの前記建築物２の開口部３と対向する側、及び上下フランジの３辺に接するようにして支圧プレート２０が溶接等の固着手段により固着されている。該支圧プレート２０は、前記枠組み６に設けられたスタッドジベル９と相まって、前記建築物２と前記枠付きブレース５との間の応力伝達を前記充填材１７を介してスムーズに行うものである。
【００１９】
このような構成の前記枠付きブレース５と前記建築物２は、第１の実施の形態と同様に、前記建築物２の開口部３の内周面に設けられたアンカーボルト４と、前記枠付きブレース５の外周面に設けられた前記スタッドジベル９とが、前記建築物２の開口部３の内周面と前記枠付きブレース５の外周面との隙間に充填される充填材１７に埋設されることにより強固に固着されて、前記耐震補強開口部１を構成している。
【００２０】
ところで、図３に示すように、該耐震補強開口部１における枠付きブレース５の前記枠組み６の下部横部材１１を部分的に切り欠いて設けられたドア開口部１６側には、鋼板１８が配置されている。該鋼板１８は、その両方の端部１８ａが各々前記下部横部材１１の前記ドア開口部１６側の両端部１１ａと、あき重ね継ぎ手１９を形成するようにして配置されている。
【００２１】
図４に示すように、該鋼板１８の両方の端部１８ａには、該鋼板１８に対して垂直に設けられたリブプレート１９が、短手方向に平行に複数設けられているとともに、該端部１８ａ近傍には、前記建築物２の開口部３の内周面に設けられているアンカーボルト４を貫通する孔１８ｂが、長手方向に所定間隔で複数設けられている。
【００２２】
したがって、該鋼板１８の取付は、前記建築物２の開口部３に設けられたアンカーボルト４を鋼板１８の両方の端部１８ａに設けられた孔１８ｂに貫通し、これらを溶接により固着して、前記建築物２と一体化する。これにより、前記アンカーボルト４の他方の端部４ｂは、前記鋼板１８にスタッドジベルを設けたものと同様の形状を構成することとなる。このようなアンカーボルト４の他方の端部４ｂ、及び前記リブプレート１９を前記充填材１７に埋設することにより、前記枠付きブレース５とも該鋼板１８は、一体化するものである。
【００２３】
なお、前記鋼板１８の取付は、上述する方法に限るものではなく、前記鋼板１８の両方の端部１８ａで、前記下部横部材１１と対向する側の面には、あらかじめスタッドジベルを設けておくことにより、前記枠付きブレースと一体化し、前記建築物２の開口部３の内周面と鋼板１８との間には、従来より用いられているエポキシ樹脂等を用いた鋼板接着工法を用いて接着することにより、前記建築物２と一体化してもよい。
【００２４】
上述する構成によれば、前記ドア開口部１６を前記鋼板を用いて補強することにより、該ドア開口部１６に生じる引張力に対して有効に作用することが可能となる。
【００２５】
また、前記下部横部材１１の端部に支圧プレート２０を配置することにより、前記下部横部材１１に設けられたスタッドジベル９と相まって、前記枠付きブレース５から建築物２にスムーズに応力伝達が図られるものである。
【００２６】
【発明の効果】
請求項１に記載のドア開口部を有する耐震補強開口部の構造によれば、上部横部材、下部横部材、及び対をなす縦部材により構成される枠組みと、該枠組みの内方で、枠組みの下方隅角部と前記上部横部材とを連結するようにハの字形状に配置されるブレースとにより構成されて、前記上部横部材の軸線上に形成されるハの字形状の前記ブレース各々の軸線の交点に対して、鉛直方向で同軸上に位置する下部横部材の所定部分が切り欠かれることにより形成されるドア開口部を有する枠付きブレースが、前記建築物の開口部の内周面に敷設されるアンカーボルトと、前記枠組みの外周面に設けられるスタッドジベルと、該スタッドジベル及びアンカーボルトを埋設するように前記枠組みの外周面と建築物の開口部の内周面との隙間に充填される充填材とを介して、前記建築物の開口部に一体的に嵌合されることから、前記ブレースから前記枠付きブレースに伝達される応力をスムーズに前記建築物へ伝達することが可能となる。
【００２７】
また、請求項１に記載のドア開口部を有する耐震補強開口部の構造によれば、前記枠付きブレースのドア開口部には、鋼板が配置されており、前記枠付きブレースと対向する一方の面側に、スタッドジベルが設けられた該鋼板の両端部各々と、前記下部横部材のドア開口部側の端部とがあき重ね継ぎ手を形成し、前記充填材を充填されて両者が一体化されるとともに、前記鋼板の他方の面と、前記建築物の開口部の内周面が、固着手段により固着されて、該鋼板、及び前記枠付きブレースが、前記建築物の開口部に一体的に嵌合されていることから、ドア開口部に生じる引張力に対して有効に作用することが可能となる。
【００２８】
請求項２に記載のドア開口部を有する耐震補強開口部の構造によれば、前記下部横部材がＨ形鋼により構成されて、前記ドア開口部側の端部には、上下フランジと前記建築物の開口部と対向する側のウェブ面とにより形成される空洞部を覆うように支圧プレートが設けられることから、前記下部横部材に設けられたスタッドジベルと相まって、前記枠付きブレースから建築物にスムーズに応力伝達が図られることが可能となる。
【図面の簡単な説明】
【図１】  本発明に係るドア開口部を有する耐震補強開口部の平面図を示す図である。
【図２】  本発明に係るドア開口部を有する耐震補強開口部の断面図を示す図である。
【図３】  本発明に係るドア開口部を有する耐震補強開口部に鋼板を用いた場合の平面図を示す図である。
【図４】  本発明に係る枠付きブレースの下部横部材と鋼板のあき重ね継ぎ手を示す図である。
【図５】  本発明に係る枠付きブレースの下部横部材を示す図である。
【符号の説明】
１  耐震補強開口部
２  建築物
３  開口部
４  アンカー
４ａ  一方の端部
４ｂ  他方の端部
５  枠付きブレース
６  枠組み
７  斜材
８  ブレース
８ａ  一方の端部
８ｂ  他方の端部
９  スタッドジベル
１０  上部横部材
１１  下部横部材
１２  縦部材
１３  上方隅角部
１４  下方隅角部
１５  交点
１６  ドア開口部
１７  充填材
１８  鋼板
１８ａ  端部
１８ｂ  孔
１９  リブプレート
２０  支圧プレート
２１  ガセットプレート
【図１】
0003752669.tif 000002
【図２】
0003752669.tif 000003
【図３】
0003752669.tif 000004
【図４】
0003752669.tif 000005
【図５】
0003752669.tif 000006